(57)【要約】【課題】  使いかけの塗料であっても、簡単かつ確実に容器を密封して乾燥を防止することができ、汎用性も高い塗料容器の減圧式密封装置および密封方法を提供すること。【解決手段】  塗料Ｐが収容された開封済みの容器２を再び密封状態にシールするための密封装置１であって、前記容器２は掛合可能な蓋部材21と容器本体部22とから成り、この蓋部材21には脱気孔21ａを少なくとも一つ有するとともに、この脱気孔21ａには吸盤部材３が付着して前記脱気孔21ａを閉塞可能である一方、減圧手段13により前記吸盤部材３と蓋部材21との界面を透して脱気孔21ａから容器２の内部空間Ｓの空気が強制脱気し、減圧手段13の脱気を停止させたとき前記吸盤部材３が前記脱気孔21ａを密着閉塞して容器２を密封するように構成する。【選択図】  図３
2006143230.tif 000002
【特許請求の範囲】
【請求項１】
塗料Ｐが収容された開封済みの容器２を再び密封状態にシールするための密封装置１であって、
前記容器２は掛合可能な蓋部材21と容器本体部22とから成り、この蓋部材21には脱気孔21ａを少なくとも一つ有するとともに、この脱気孔21ａには吸盤部材３が付着して前記脱気孔21ａを閉塞可能である一方、
前記密封装置１には、前記容器２を載置可能な置台部11を備えており、かつ、この置台部11の上方には、其処に載置された容器２の蓋部材21に載置可能な押さえ蓋12が配設されており、
この押さえ蓋12下面の接合面には、蓋部材21上面の外周凸部21ｂに密着対応する弾性封止部材12ａが設けられ、かつ、この押さえ蓋12には減圧手段13に連通する吸気ホース14が連結されているとともに、
前記減圧手段13により前記吸盤部材３と蓋部材21との界面を透して脱気孔21ａから容器２の内部空間Ｓの空気が強制脱気し、減圧手段13の脱気を停止させたとき前記吸盤部材３が前記脱気孔21ａを密着閉塞して容器２を密封するように構成したことを特徴とする塗料容器の減圧式密封装置。
【請求項２】
密封装置１の押さえ蓋12に梃子レバー12ｂが配設されていることを特徴とする請求項１記載の塗料容器の減圧式密封装置。
【請求項３】
密封装置１の減圧手段13に圧力計13ａが表示可能に配設されていることを特徴とする請求項１または２記載の塗料容器の減圧式密封装置。
【請求項４】
容器２が入れ子式に形成されており、塗料Ｐが収容された内容器22ａが容器本体部22の内部に格納可能に構成されていることを特徴とする請求項１〜３の何れか一つに記載の塗料容器の減圧式密封装置。
【請求項５】
塗料Ｐが収容された開封済みの容器２を再び密封状態にシールせしめる密封方法であって、
前記容器２の蓋部材21と容器本体部22とを掛合し、当該蓋部材21に開設された脱気孔21ａには、吸盤部材３を付着して当該脱気孔21ａを閉塞せしめる一方、
前記密封装置１の置台部11に前記容器２を載置して、かつ、この置台部11の上方に配設された押さえ蓋12を容器２の蓋部材21に被着させ、
この押さえ蓋12下面の接合面に設けられた弾性封止部材12ａを蓋部材21上面の外周凸部21ｂに密着せしめ、かつ、この押さえ蓋12に減圧手段13に連通せる吸気ホース14を介して、前記減圧手段13により前記吸盤部材３と蓋部材21との界面を透して脱気孔21ａから容器２の内部空間Ｓの空気を強制脱気することにより前記吸盤部材３を前記脱気孔21ａに密着閉塞して容器２を密封することを特徴とする塗料容器の減圧式密封方法。
【請求項６】
密封装置１の押さえ蓋12に配設された梃子レバー12ｂを押し下げることによって、押さえ蓋12を容器２の蓋部材21に載置することを特徴とする請求項５記載の塗料容器の減圧式密封方法。
【請求項７】
容器２を入れ子式に形成し、塗料Ｐが収容された内容器22ａを容器本体部22の内部に格納することを特徴とする請求項５または６記載の塗料容器の減圧式密封方法。
【発明の詳細な説明】
【技術分野】
【０００１】
本発明は、印刷用塗料の保存技術に関し、更に詳しくは、使いかけの塗料であっても、簡単かつ確実に容器を密封して乾燥を防止することができ、汎用性も高い塗料容器の減圧式密封装置および密封方法に関するものである。
【背景技術】
【０００２】
周知のとおり、印刷用塗料を印刷装置に適宜充填した後は、再び容器の蓋を閉めて保管しておく必要があるけれども、蓋をしっかりと閉めたつもりであっても、実際には容器には空気が入っており、また、僅かな隙間からも空気が浸入して塗料と接触してしまい、酸化重合したり揮発したりして表面が硬化してしまう。
【０００３】
このような場合、その硬化した部分が粒となり、その粒がそのまま印刷機械に供給されると、版面の画像部分に付着することによって印刷汚れなどの無駄な損紙を発生させてしまうという問題がある。
【０００４】
従来、かかる塗料の乾燥を防止して保管するために、塗料容器に設置する内蓋が開示されている（例えば、特許文献１参照）。
【０００５】
しかしながら、かかる内蓋を使用するには、対象となるインキ缶に適合する形状のものがその都度必要であるため、汎用性に乏しいという不満がある。
【特許文献１】実開平５−４６７８２号公報  （第３−４頁、図１−３）
【発明の開示】
【発明が解決しようとする課題】
【０００６】
本発明は、上記のような問題があったことに鑑みて為されたものであり、その目的とするところは、使いかけの塗料であっても、簡単かつ確実に容器を密封して乾燥を防止することができ、汎用性も高い塗料容器の減圧式密封装置および密封方法を提供することにある。
【課題を解決するための手段】
【０００７】
本発明者が上記課題を解決するために採用した手段を添付図面を参照して説明すれば次のとおりである。
【０００８】
即ち、本発明は、塗料Ｐが収容された開封済みの容器２を再び密封状態にシールするための密封装置１であって、
前記容器２は掛合可能な蓋部材21と容器本体部22とから成り、この蓋部材21には脱気孔21ａを少なくとも一つ有するとともに、この脱気孔21ａには吸盤部材３が付着して前記脱気孔21ａを閉塞可能である一方、
前記密封装置１には、前記容器２を載置可能な置台部11を備えており、かつ、この置台部11の上方には、其処に載置された容器２の蓋部材21に載置可能な押さえ蓋12が配設されており、
この押さえ蓋12下面の接合面には、蓋部材21上面の外周凸部21ｂに密着対応する弾性封止部材12ａが設けられ、かつ、この押さえ蓋12には減圧手段13に連通する吸気ホース14が連結されているとともに、
前記減圧手段13により前記吸盤部材３と蓋部材21との界面を透して脱気孔21ａから容器２の内部空間Ｓの空気が強制脱気し、減圧手段13の脱気を停止させたとき前記吸盤部材３が前記脱気孔21ａを密着閉塞して容器２を密封するように構成するという技術的手段を採用することによって、塗料容器の減圧式密封装置を完成した。
【０００９】
また、本発明は、上記課題を解決するために、必要に応じて上記手段に加え、密封装置１の押さえ蓋12に梃子レバー12ｂを配設するという技術的手段を採用した。
【００１０】
更にまた、本発明は、上記課題を解決するために、必要に応じて上記手段に加え、密封装置１の減圧手段13に圧力計13ａを表示可能に配設するという技術的手段を採用した。
【００１１】
更にまた、本発明は、上記課題を解決するために、必要に応じて上記手段に加え、容器２が入れ子式に形成されており、塗料Ｐが収容された内容器22ａが容器本体部22の内部に格納可能に構成するという技術的手段を採用した。
【００１２】
また、本発明は、塗料Ｐが収容された開封済みの容器２を再び密封状態にシールせしめる密封方法であって、
前記容器２の蓋部材21と容器本体部22とを掛合し、当該蓋部材21に開設された脱気孔21ａには、吸盤部材３を付着して当該脱気孔21ａを閉塞せしめる一方、
前記密封装置１の置台部11に前記容器２を載置して、かつ、この置台部11の上方に配設された押さえ蓋12を容器２の蓋部材21に被着させ、
この押さえ蓋12下面の接合面に設けられた弾性封止部材12ａを蓋部材21上面の外周凸部21ｂに密着せしめ、かつ、この押さえ蓋12に減圧手段13に連通せる吸気ホース14を介して、前記減圧手段13により前記吸盤部材３と蓋部材21との界面を透して脱気孔21ａから容器２の内部空間Ｓの空気を強制脱気することにより前記吸盤部材３を前記脱気孔21ａに密着閉塞して容器２を密封するという技術的手段を採用することによって、塗料容器の減圧式密封方法を完成した。
【００１３】
また、本発明は、上記課題を解決するために、必要に応じて上記手段に加え、密封装置１の押さえ蓋12に配設された梃子レバー12ｂを押し下げることによって、押さえ蓋12を容器２の蓋部材21に載置するという技術的手段を採用した。
【００１４】
更にまた、本発明は、上記課題を解決するために、必要に応じて上記手段に加え、容器２を入れ子式に形成し、塗料Ｐが収容された内容器22ａを容器本体部22の内部に格納するという技術的手段を採用した。
【発明の効果】
【００１５】
本発明の装置にあっては、押さえ蓋と蓋部材上面との間に密閉状態のチャンバ部を形成して、減圧手段でチャンバ部および脱気孔から容器の内部空間の空気を脱気することにより吸盤部材を前記脱気孔に密着閉塞せしめることによって、吸盤部材が逆止弁となって大気の浸入を防止することができるので、塗料の乾燥を効果的に防止することができる。
【００１６】
したがって、塗料を無駄にすることもないので、印刷コストの削減にも寄与することができることから、産業上における利用価値は頗る高いと云える。
【発明を実施するための最良の形態】
【００１７】
本発明の実施形態を具体的に図示した図面に基いて更に詳細に説明すると次のとおりである。
【００１８】
本発明の実施形態を図１から図３に基いて説明する。図１中、符号１で指示するものは密封装置であり、この密封装置１は、塗料Ｐが収容された開封済みの容器２を再び密封状態にシールするためのものであり、詳細な構成は後述する。
【００１９】
また、符号２で指示するものは容器であり、この容器２には塗料Ｐが収容されており、掛合可能な蓋部材21と容器本体部22とから成り、当該蓋部材21には脱気孔21ａを少なくとも一つ有する。
【００２０】
更にまた、符号３で指示するものは吸盤部材であり、この吸盤部材３は、負圧を利用した周知のものであって、塩化ビニル樹脂などの軟質樹脂で成形されたものを採用する。
【００２１】
しかして、本実施形態の密封装置１の構成および密封方法について、以下に説明する。まず、容器２の蓋部材21と容器本体部22とを掛合し、当該蓋部材21に脱気孔21ａを開設するとともに、吸盤部材３を付着して当該脱気孔21ａを閉塞せしめる。本実施形態では、脱気孔21ａは０．５mm径程度のものを蓋部材21の略中央部に３つ開設する（図２参照）。
【００２２】
次いで、密封装置１の置台部11に容器２を載置して、かつ、この置台部11の上方に配設された押さえ蓋12を容器２の蓋部材21に載置する。本実施形態では、密封装置１の押さえ蓋12に梃子レバー12ｂを配設し、この梃子レバー12ｂを押し下げることによって、押さえ蓋12を容器２の蓋部材21に載置することができる（図３参照）。
【００２３】
そして、この押さえ蓋12下面の接合面に設けられた弾性封止部材12ａ（例えば、軟質ゴム製のパッキン部材）を、蓋部材21上面外周凸部21ｂに密着せしめることにより、押さえ蓋12と蓋部材21上面との間に密閉状態のチャンバ部Ｃを形成する。
【００２４】
ここで、この押さえ蓋12の孔部には、減圧手段13に連通する吸気ホース14が連結されており、当該減圧手段13により前記チャンバ部Ｃの気圧を急激に減圧し、同時に吸盤部材３と蓋部材21との界面を透して脱気孔21ａから容器２の内部空間Ｓの空気を強制脱気せしめる。
【００２５】
本実施形態では、密封装置１の減圧手段13において、圧力計13ａを表示可能に配設し、この圧力計13ａが６０〜７０ｋＰａ（キロパスカル）を指すまで、表示を見ながら、減圧操作を行うことが好ましい。
【００２６】
このようにして、前記吸盤部材３を前記脱気孔21ａに密着閉塞せしめることによって容器２をシールして再び密封することができるのである。
【００２７】
然る後、本実施形態では、制御盤により電磁弁を操作して、脱気されたチャンバ部Ｃおよび吸気ホース14内に送気することにより、容器２を取り出し易くすることができる。
【００２８】
ここで、本実施形態に使用する容器２については、図４に示すように、容器２を入れ子式に形成し、塗料Ｐが収容された内容器22ａを容器本体部22の内部に格納することができるように変形することができる。
【００２９】
かかる容器２は、内容器22ａに蓋を被せることなく、直接、この内容器22ａのみを容器本体部22の内部に格納するのであるけれども、この容器本体部22がジャケットの役割を果たすことによって、前記内容器22ａの強度が小さく、この内容器22ａに蓋をして脱気すると大気圧によって潰されてしまうような場合であっても、破損を効果的に防止することができる。
【００３０】
本発明は、概ね上記のように構成されるが、本発明は図示の実施形態に限定されるものでは決してなく、「特許請求の範囲」の記載内において種々の変更が可能であって、例えば、容器２は円柱形のものに限らず、他形状のものでも良く、この場合、密封装置１の置台部11の形状および押さえ蓋12、弾性封止部材12ａも適宜設計変更することができ、本発明の技術的範囲に属する。
【図面の簡単な説明】
【００３１】
【図１】本発明の実施形態の密封装置を表わす説明側面図である。
【図２】本発明の実施形態の容器を表わす斜視図である。
【図３】本発明の実施形態の密封装置に容器を載置した状態を表わす説明側面図である。
【図４】本発明の実施形態の容器の変形例を表わす斜視図である。
【符号の説明】
【００３２】
１    密封装置
11    置台部
12    押さえ蓋
12ａ  弾性封止部材
12ｂ  梃子レバー
13    減圧手段
13ａ  圧力計
14    吸気ホース
２    容器
21    蓋部材
21ａ  脱気孔
21ｂ  脱気孔
22    容器本体部
22ａ  内容器
３    吸盤部材
Ｐ    塗料
Ｃ    チャンバ部
Ｓ    内部空間
【図１】
2006143230.tif 000003
【図２】
2006143230.tif 000004
【図３】
2006143230.tif 000005
【図４】
2006143230.tif 000006